(57)【特許請求の範囲】
【請求項１】
封印対象物を封印するために、前記封印対象物を収納するよう袋状に形成された封印具において、
前記封印対象物を挿入するための開口部であって、前記封印対象物が挿入され前記封印具内に気体が充填された後、前記封印具が膨張した状態で前記封印具を密封可能な開口部と、
前記封印具に充填された前記気体の圧力により変形する変形部であって、前記封印具が膨張していない状態では外部から視認困難であり、且つ、前記封印具が膨張し前記変形部が変形すると外部から視認容易になる隠れ部を有する、変形部と、
前記封印具内の気体が放出されたとき、前記変形部を、前記封印具が膨張していない状態に戻す復元手段と、
を備えることを特徴とする、封印具。
【請求項２】
前記隠れ部は、前記封印具の色と異なる色により着色されている、請求項１に記載の封印具。
【請求項３】
前記変形部は、折りたたみ可能に形成された前記封印具の側部である、請求項１又は２に記載の封印具。
【請求項４】
前記折りたたみ可能に形成された側部の下端は、前記封印具の底部に凹形状の状態で固定されている、請求項３に記載の封印具。
【請求項５】
封印対象物を収納するよう袋状に形成された封印具であって、前記封印対象物が挿入される開口部と、前記封印具に充填された気体の圧力により変形する変形部であって、前記封印具が膨張していない状態では外部から視認困難である隠れ部を有する変形部と、を備える封印具を用いて封印対象物を封印する封印方法であって、
前記封印具の前記開口部から前記封印対象物を挿入し、前記封印対象物を前記封印具に収納する工程と、
前記封印具に気体を充填し、前記封印具を膨張させると共に、前記変形部を前記気体の圧力で変形させ、前記隠れ部を前記封印具の外部から視認容易にする工程と、
前記開口部を閉じて、前記封印具が膨張した状態で前記封印具を密封する工程と、を含み、
前記封印具は、前記封印具内の気体が放出されたとき、前記変形部を、前記封印具が膨張していない状態に戻す復元手段をさらに備える、
封印方法。
【発明の詳細な説明】
【技術分野】
【０００１】
本発明は、手荷物等の封印対象物を封印する封印具、及び、その封印具を用いた封印方法に関する。
【背景技術】
【０００２】
スポーツ大会やコンサート等の大規模なイベントでは、入場者の手荷物検査（例えば、Ｘ線検査）と装着品検査（例えば、金属探知器による検査）が行われる。大規模イベントにおける多数の入場者に対して、会場入口で手荷物検査と装着品検査の両方を実施すると混雑の原因になる。そのため、それらの検査を円滑に行うために、検査の実施場所を、互いに離れた場所に設ける場合がある。例えば、手荷物検査を駅周辺にて行い、装着品検査を会場入口で行うことで、検査時の混雑を分散させ、検査を円滑に行えるようにする。
【０００３】
このように、検査の実施場所を互いに離れた場所に設ける場合、入場者は手荷物検査が終了した手荷物を携行して、装着品検査の実施場所に移動することとなる。そのため、移動する間に検査済みの手荷物の中に危険物が入れられることがないよう、検査済みの手荷物を何らかの手段・方法で封印する必要があった。
【０００４】
従来、検査済みの手荷物を封印する手段・方法として、袋が用いられており、その袋の口を粘着テープやバンド等で封印していた。例えば、特許文献１には、袋の口をバンド部材で係合することにより内容部を封印する手提げ袋が開示されている。また、特許文献１には、袋の口を粘着テープや紐で封印する従来技術も記載されている。
【先行技術文献】
【特許文献】
【０００５】
【特許文献１】実開昭５９−１２１３４３号公報
【発明の概要】
【発明が解決しようとする課題】
【０００６】
しかしながら、従来技術や特許文献１に記載の手段では、袋の封印が維持されているのか解かれているのかが周囲の人々や検査員の目に明らかでなかった。そのため、悪意を持つ人物が、周囲に人目がある中でも、検査済みの手荷物の中に危険物を紛れ込ませるおそれがあった。よって、手荷物検査の実施場所と装着品検査の実施場所との間におけるセキュリティが充分であるとは言えなかった。
【０００７】
そこで、本発明の目的は、封印対象物の封印が維持されている、又は、その封印が解かれたことが周囲の人々にも容易に視認可能な封印具、及び、その封印具を用いた封印方法を提供することにある。
【課題を解決するための手段】
【０００８】
かかる課題を解決するための本発明は、封印対象物を封印するために、封印対象物を収納するよう袋状に形成された封印具を提供する。係る封印具は、封印対象物を挿入するための開口部であって、封印対象物が挿入され封印具内に気体が充填された後、封印具が膨張した状態で封印具を密封可能な開口部と、封印具に充填された気体の圧力により変形する変形部であって、変形部が変形することにより、封印具が膨張していない状態では外部から視認困難であり、且つ、封印具が膨張し変形部が変形すると外部から視認容易になる隠れ部を有する、変形部と、を備える。
【０００９】
さらに、本発明に係る封印具において、隠れ部は、封印具の色と異なる色により着色されている、ことが好ましい。
【００１０】
また、本発明に係る封印具において、変形部は、折りたたみ可能に形成された封印具の側部であることが好ましい。
【００１１】
また、本発明に係る封印具において、折りたたみ可能に形成された側部の下端は、封印具の底部に凹形状の状態で固定されていることが好ましい。
【００１２】
また、本発明に係る封印具において、封印具内の気体が放出されたとき、変形部を封印具が膨張していない状態に戻す復元手段を有することが好ましい。
【００１３】
また、かかる課題を解決するための本発明は、封印対象物を収納するよう袋状に形成された封印具であって、封印対象物が挿入される開口部と、封印具に充填された気体の圧力により変形する変形部であって、封印具が膨張していない状態では外部から視認困難である隠れ部を有する変形部と、を備える封印具を用いて封印対象物を封印する封印方法を提供する。係る封印方法は、封印具の開口部から封印対象物を挿入し、封印対象物を封印具に収納する工程と、封印具に気体を充填し、封印具を膨張させると共に、変形部を気体の圧力で変形させ、隠れ部を封印具の外部から視認容易にする工程と、開口部を閉じて、封印具が膨張した状態で封印具を密封する工程と、を含む。
【発明の効果】
【００１４】
本発明に係る封印具は、封印具に充填された気体の圧力により変形する変形部であって、封印具が膨張した状態では外部から視認容易な隠れ部を有する変形部を備える。そのため、封印対象物の封印が維持されている、又は、その封印が解かれたことが周囲の人々にも容易に視認可能になる。
【図面の簡単な説明】
【００１５】
【図１】本発明を適用した第一実施形態である封印具の外観を示す概略斜視図であり、（ａ）は封印対象物を入れる前の状態を示し、（ｂ）は封印対象物を入れ封印した後の状態を示す。
【図２】第一実施形態である封印具の変形例の外観を示す概略斜視図であり、（ａ）は封印対象物を入れる前の状態を示し、（ｂ）は封印対象物を入れ封印した後の状態を示す。
【図３】本発明を適用した第二実施形態である封印具の外観を示す概略斜視図であり、（ａ）は封印対象物を入れる前の状態を示し、（ｂ）は封印対象物を入れ封印した後の状態を示す。
【図４】本発明を適用した第三実施形態である封印具の外観を示す概略斜視図であり、（ａ）は封印対象物を入れる前の状態を示し、（ｂ）は封印対象物を入れ封印した後の状態を示す。
【発明を実施するための形態】
【００１６】
以下、本発明の第一実施形態である封印具について図を参照しつつ説明する。以下の実施の形態において同一又は類似の構成要素には共通の参照符号を付けて示し、理解を容易にするために、これらの図面は縮尺を適宜変更している。また、本発明の技術的範囲はそれらの実施の形態に限定されず、特許請求の範囲に記載された発明とその均等物に及ぶ点に留意されたい。
【００１７】
この封印具は、手荷物等の封印対象物を封印するために、封印対象物を収納するよう袋状に形成された封印具である。この封印具は、封印具に充填された気体の圧力により変形する変形部であって、封印具が膨張していない状態では外部から視認困難であり、且つ、封印具が膨張し変形部が変形すると外部から視認容易になる隠れ部を有する変形部を備える。そのため、封印具の隠れ部が外部から見える場合は、封印具が開封されていないことが明確に分かる。そのため、封印対象物の封印が維持されている、又は、その封印が解かれたことが検査員や周囲の人々にも容易に分かる。
【００１８】
図１（ａ）及び図１（ｂ）を用いて第一実施形態の封印具１０を説明する。図１（ａ）及び図１（ｂ）は、第一実施形態の封印具１０の外観を示す斜視図であり、図１（ａ）は封印対象物１を入れる前の状態を示し、図１（ｂ）は、封印対象物１を封印した後の状態を示す。封印具１０は、封印対象物１を封印するために、封印対象物１を収納可能な大きさでもって袋状に形成されている。封印対象物１は、入場者が所有する手荷物、例えば手提げ鞄、ハンドバッグ、又はリュックサック等であり、検査員によるＸ線検査や目視検査等を通過した手荷物である。封印具１０は、封印対象物１を挿入することが可能な大きさの開口部２０を有する。また、封印具１０は、ビニル等の気密性を有する素材で作製される。袋状に形成された封印具１０は、その中に封印対象物１を入れた後、気体が注入され、図１（ｂ）に示すように封印具１０が膨らむ。そして、封印具１０への気体の注入は、後述する変形部３０が変形し隠れ部４０が外出し、封印具１０の袋部分がピンと張った状態（以下、この状態を膨張した状態という）となるまで行われる。封印具１０は、隠れ部４０が外出し膨張した状態でその気密性が維持されるならば、ビニル以外の素材、例えば紙で作製されてもよい。
【００１９】
開口部２０は封印具１０が膨張した状態で密封可能であり、本実施形態では、封印具１０に気体が充填された後、開口部２０はヒートシール等によりシールされる。封印具１０は、開口部２０がシールされた後、例えば少なくとも数時間以上膨らんだ状態を維持できる気密性を有する。
【００２０】
開口部２０がシールされると、封印対象物１を取り出すためには、封印具１０を切断するなどして開封する必要がある。また、封印具１０を一旦切断するとその部分から、封印具１０に充填した気体が放出され、封印具１０は収縮する。
【００２１】
封印具１０の両側部には、封印具１０内に充填された気体の圧力により変形する変形部３０が設けられている。本実施形態の変形部３０は、封印具１０の側部が内側に折り畳まれる構造となっている。変形部３０は、少なくともその谷部の先端を含む隠れ部４０を有し、隠れ部４０は、図１（ａ）に示すように、封印具１０に封印対象物１を入れていない状態では隠れており、外部から視認することが困難である。変形部３０は、封印具１０に封印対象物１が挿入され、封印具１０内に気体が充填され膨張すると、その気体の圧力により、図１（ｂ）に示すように封印具１０の外側に向かって変形する。変形部３０が変形することで、隠れ部４０が露出して外部から視認容易になる。隠れ部４０が露出することで、封印具１０の外観の変化が強調され、それにより、検査員や周囲の人々は、封印具１０の膨張状態が維持され、開封されていないことが明確に分かる。
【００２２】
悪意のある入場者によって封印具１０が開封されると、封印具１０内の気体が抜け封印具１０が収縮し、さらには、封印対象物１の荷重によって変形部３０は、元の形（図１（ａ）に示す状態）に戻る。封印具１０の外観が大きく変化し、変形部３０の隠れ部４０も外部から視認困難になる。隠れ部４０が見えていない場合は、封印具１０が開封され、手荷物に何らかの改ざんが行われた可能性がある。そのため、検査員は、変形部３０の隠れ部４０が見えるか否かを確認することで、封印具１０の封印が解かれていないことを容易に判断することができる。また、封印具１０を開封すると、封印具１０の外観に顕著な変化が生じ、封印具１０に細工が行われたことが明らかになることから、周囲の人々に気付かれることなく手荷物の中に危険物を入れることが困難になる。よって、封印後の封印具１０や封印対象物１への細工を効果的に抑制することが可能になり、セキュリティが向上する。
【００２３】
封印具１０は、図１（ａ）及び図１（ｂ）に示すように、持ち手５０が設けられてもよい。封印具１０に持ち手５０があることで、入場者は次の検査の実施場所である会場入口まで、手に提げて又は肩に提げて、封印具１０を持ち運びできる。
【００２４】
また、封印具１０は、少なくとも封印対象物又は封印具を一意に識別する識別番号又はバ−コード等の識別情報が印刷された印刷物である識別媒体５１が設けられてもよい。識別媒体５１は、識別情報を記憶し、記憶した識別情報を送信するＩＣタグ等の通信媒体であってもよい。封印具１０に識別媒体５１が設けられることで、例えば封印された封印対象物１を一意に識別できる。なお、識別情報は封印対象物の所有者を一意に識別できるものでもよい。また、識別媒体５１は、手荷物の所有者や検査員が識別媒体５１を容易に視認できるよう、封印具１０の外面に配置されるのが好ましい。
【００２５】
以下に、封印具１０を用いた封印方法について説明する。封印具１０による封印対象物１の封印は、収納工程Ｓ１、気体充填工程Ｓ２、密封工程Ｓ３の順番で実施される。
【００２６】
収納工程Ｓ１では、検査済みの封印対象物１を開口部２０から挿入し、封印対象物１を封印具１０内に収納する。
【００２７】
気体充填工程Ｓ２では、封印対象物１を入れた封印具１０内に気体を充填させ封印具１０を膨張させる。具体的には、ボンベ等のノズルを開口部２０に挿入して気体を注入し、封印具１０内に気体を充填して封印具１０を膨張させる。このとき、変形部３０を気体の圧力で変形させ、隠れ部４０を封印具１０の外部から視認容易にする。なお、注入する気体は、空気又は不活性ガスとすることができる。
【００２８】
密封工程Ｓ３では、気体が充填された封印具１０の開口部２０を密封する。具体的には、開口部２０からノズルを抜くと同時に封印具１０が膨張した状態で開口部２０をヒートシールにより密封する。
【００２９】
以上の手順により密封された封印具１０は、手荷物等の封印対象物１を収納した状態で膨張した状態が維持され、変形部３０が変形し隠れ部４０が視認容易な状態となる。封印具１０が膨張され隠れ部４０が見えていることが、封印具１０の封印状態が維持されていることを証明する。もし、悪意のある入場者が、封印対象物１を細工するために、封印具１０を開封すれば、封印具１０が収縮し変形部３０が元の状態に戻り隠れ部４０が見えにくくなるという目立った変化を伴って封印が解ける。よって、検査員や周囲の人々にも開封の有無が明らかとなることから、封印後の封印具１０に細工をすることが困難となる。
【００３０】
図２（ａ）及び図２（ｂ）を用いて第一実施形態の変形例である封印具１１を説明する。図２（ａ）及び図２（ｂ）は、封印具１１の外観を示す斜視図であり、図２（ａ）は封印する前の状態を示し、図２（ｂ）は封印した後の状態を示す。封印具１１は、図１（ａ）及び図１（ｂ）に示す封印具１０と同様に、手荷物（図示しない）を封印するために袋状に形成されており、手荷物を挿入するための開口部２０を有する。また、隠れ部４１を有する変形部３１を封印具１１の両側部に有する。開口部２０は、手荷物が挿入され封印具１１内に気体が充填された後、図２（ｂ）に示すように、変形部３１が変形して隠れ部４１が外出するよう膨張した状態で密封可能である。
【００３１】
封印具１１の変形部３１は、図２（ａ）に示すよう折り畳み可能に形成されている。そして、封印具１０の変形部３１と同様に、少なくともその谷部の先端を含む隠れ部４１を有する。封印する前の状態、すなわち膨張していない状態では、変形部３１の隠れ部４１は視認することが困難である。一方、手荷物を開口部２０から挿入した後、気体を封印具１１内に気体を注入し封印具１１を膨張させると、変形部３１は、気体の圧力により、折り畳まれた谷の部分が外出するよう変形し隠れ部４１が外部から視認容易になる。
【００３２】
封印具１１の変形部３１の隠れ部４１は、封印具１１の変形部３１以外の部分、例えば正面１１ａや裏面１１ｂの色と異なる色で着色されている。例えば、封印具１１の正面１１ａ及び裏面１１ｂは白で、隠れ部４１は赤や青で着色される。封印具１１の主な部分の色と隠れ部４１の色が異なるため、隠れ部４１が外部に露出すると、周囲の人々から変形していることが視覚的に判別し易くなり、封印具１１が膨張して封印具１１が密封されていることが明確になる。
【００３３】
さらに、封印具１１の折りたたみ可能に形成された側部の下端３１ａは、図２（ａ）に示すように、封印具１１の底部に凹形状（図２に示す凹部ＡＢＣ）の状態で固定されている。下端３１ａを凹形状の状態で固定することで、変形部３１が元の状態に戻る力がより強くはたらく。そのため、封印具１１内の気体が抜けたとき、封印具１１が収縮して変形部３１が折り畳まれた状態に戻り、隠れ部４１が再び見えにくくなる。
【００３４】
また、さらに、封印具１１の側部には、変形部３１が元の状態に戻る力がより強くはたらくよう、復元手段５２が設けられている。図２（ａ）及び図２（ｂ）に記載の復元手段５２は、変形部３１が折り畳まれる方向に設けられたゴム等の弾性材である。復元手段５２が設けられることで、封印具１１の気体が抜けたとき、変形部３１に対して元の状態に戻る力がより強くはたらき、変形部３１が折り畳まれることにより隠れ部４１が外部から視認されなくなる。
【００３５】
なお、隠れ部４１は、封印具１１の色と異なる色で着色したものであるが、隠れ部４１には、記号や文字を記入したり模様を描いたりしてもよい。また、封印具１１には、図１に示す封印具１０と同様、持ち手５０や識別媒体５１が設けられてもよい。
【００３６】
（第二実施形態）
図３（ａ）及び図３（ｂ）を用いて第二実施形態である封印具１２を説明する。図３（ａ）及び図３（ｂ）は、封印具１２の外観を示す概略斜視図であり、図３（ａ）は封印対象物を入れる前の状態を示し、図３（ｂ）は封印対象物を入れ封印した後の状態を示す。封印具１２は、図１（ａ）及び図１（ｂ）示す封印具１０や図２（ａ）及び図２（ｂ）に示す封印具１１と同様に、手荷物等の封印対象物（図示しない）を封印するために袋状に形成されており、封印対象物を挿入するための開口部２０を有する。また、封印対象物が挿入され封印具１２に気体が充填された後は、図３（ｂ）に示すように膨張した状態で密封可能である。封印具１２の素材や、開口部２０の密封方法等は、図１に示す封印具１０と同様であるので、その詳細な説明は省略する。
【００３７】
封印具１２は、図１（ａ）及び図１（ｂ）に示す封印具１０並びに図２（ａ）及び図２（ｂ）に示す封印具１１と異なり、封印具１２の正面１２ａに変形部３２を有する。変形部３２は、図３（ａ）に示すように、封印具１２の正面に縦方向（図３（ａ）の矢印Ｙ方向）に設けられた切り込み５３と、封印具１２の内側から切り込み５３を覆うように取り付けられたシート状の隠れ部４２とから構成される。封印具１２の内側に取り付けられた隠れ部４２は、封印具１２が、膨張していない状態では外部から視認困難となっている。隠れ部４２は、例えば封印具１２の内面に接着剤又は粘着剤で取り付けられる。
【００３８】
本実施形態の変形部３２は、封印具１２に気体が充填されると、その圧力により封印具１２の正面１２ａが広がり、切り込み５３が図３（ｂ）に示すように横方向（図３（ｂ）の矢印Ｘ方向）に開く。切り込み５３が開くことで、封印具１２の内面に取り付けられた隠れ部４２が外部から視認容易になる。隠れ部４２が視認可能になることにより、検査員や周囲の人々は、隠れ部４２が見えるか否かを確認することで、封印具１２が膨張し手荷物等が封印されている状態であることが容易に分かる。
【００３９】
本実施形態のシート状の隠れ部４２は、封印具１２の主な色とは異なる色で着色されている。例えば、封印具１２は白で、隠れ部４２は赤や青で着色される。隠れ部４２を封印具１２と異なる色で着色することにより、隠れ部４２が見えている状態であることが強調される。そのため、検査員や周囲の人々は、封印具１２が膨張した状態であり変形部３２の切り込み５３が開いていることを容易に確認することができる。また、隠れ部４２には、記号や文字が記入されたり模様等が描かれたりしてもよい。
【００４０】
図３（ａ）及び図３（ｂ）に示す封印具１２では、その正面１２ａに二つの変形部３２が設けられているが、変形部３２は一つ以上設けられればよい。また、変形部３２は封印具１２の正面１２ａだけでなく、その反対側にある裏面１２ｂに設けられてもよい。
【００４１】
封印具１２には、図１に示す封印具１０と同様、持ち手５０や識別媒体５１が設けられてもよい。また、変形部３２の切り込み５３が、封印具１２が収縮したときに、より容易に閉じられるよう、封印具１２の外面側に切り込み５３を跨いでゴム等の復元手段が設けられてもよい。また、切り込み５３は横方向（図３（ａ）の矢印Ｘ方向）に設けられてもよい。しかしながら、横方向の場合、封印対象物を収納すると、その荷重により封印具１２が下方に延びるよう変形し、膨張していない場合でも切り込み５３が開いてしまう可能性がある。変形部３２の切り込み５３が縦方向（重力の方向、図３（ａ）の矢印Ｙ方向）に設けられていると、封印対象物を収納したとき、その荷重により封印具１２が下方に延びるように変形しても、膨張していない場合は切り込み５３が閉じるように力がかかるので隠れ部４２が見えず、より好適である。
【００４２】
（第三実施形態）
図４（ａ）及び図４（ｂ）を用いて第三実施形態である封印具１３を説明する。図４（ａ）及び図４（ｂ）は、封印具１３の外観を示す概略斜視図であり、図４（ａ）は封印対象物を入れる前の状態を示し、図４（ｂ）は封印対象物を入れ封印した後の状態を示す。封印具１３は、図１（ａ）及び図１（ｂ）に示す封印具１０と同様に、手荷物等の封印対象物（図示しない）を封印するために袋状に形成されており、封印対象物を挿入するための開口部２０を有する。また、封印対象物が挿入され封印具１３に気体が充填された後、開口部２０を閉じることで図４（ｂ）に示すように膨張した状態で密封可能になっている。封印具１３の素材や、開口部２０の密封方法等は、図１（ａ）及び図１（ｂ）に示す封印具１０と同様であるので、その詳細な説明は省略する。
【００４３】
封印具１３は、封印具１３の正面１３ａに変形部３３を有する。変形部３３は、図４（ａ）に示すように、封印具１３の正面１３ａに対し出し入れ可能なよう小袋５４が設けられる。また、変形部３３は、その小袋５４の形状が封印具１３が膨張していない場合でも維持できるよう、他の部分よりも硬い材質で形成されることが好ましい。そして、小袋５４の側部が変形部３３の隠れ部４３となる。小袋５４は封印具１３が膨張していない状態、すなわち気体が抜けた状態では、封印具１３内に収納され、隠れ部４３は外部から見えにくくなっている。小袋５４は、封印具１３に気体が充填され封印具１３が膨張すると、図４（ｂ）に示すように、気体の圧力により正面１３ａから外側に、図の矢印Ｚ方向に突出するよう設けられる。このとき小袋５４の側部、すなわち隠れ部４３は外部から視認容易になる。検査員や周囲の人々は、小袋５４が突出していることや隠れ部４３が見えることにより、封印具１３が膨張している状態であること、すなわち封印されていることを確認することができる。
【００４４】
本実施形態の隠れ部４３は、封印具１３の主な色、例えば封印具１３の正面１３ａや裏面１３ｂとは異なる色で着色されている。例えば封印具１３の正面１３ａは白で、隠れ部４３は赤や青で着色される。また、隠れ部４３は、小袋５４の正面とも異なる色にしてもよい。このとき、小袋５４の正面を封印具１３の主な色と同じ色で着色するようにしてもよい。隠れ部４３を封印具１３の主な色と異なる色で着色することにより、変形部３３が突出していることがより分かりやすくなる。そのため、検査員や周囲の人々は、変形部３３の状態を見るだけで、封印具１３が封印され膨張されていることを確認することができる。隠れ部４３には、記号や文字が記入されるか又は模様等が描かれてもよい。
【００４５】
封印具１３が開封されると、封印具１３内の気体が抜け封印具１３が収縮し、気体の圧力によって突出していた小袋５４がしぼむ。そして、隠れ部４３は、小袋５４がしぼむことにより、封印具１３が膨張していたときよりも視認しにくくなる。検査員や周囲の人々は、これらの外観の変化によって、封印具１３が開封されたことを確認することができる。
【００４６】
また、封印具１３には、突出した小袋５４が、封印具１３の収縮時に元の状態に戻る力がより強くはたらくよう、復元手段５２が設けられてもよい。図４（ａ）及び図４（ｂ）に示す復元手段５２は、封印具１３の外側においてゴム等の弾性材が小袋５４を跨ぐよう取り付けることで実現される。復元手段５２が設けられることで、封印具１３から気体が抜けたとき、小袋５４は封印具１３内に収納されることから、封印具１３が開封されたことが検査員や周囲の人々にも容易に分かる。
【００４７】
変形部３３は封印具１３の正面１３ａだけでなく、その反対側にある裏面１３ｂに設けられてもよい。また、変形部３３は、封印具１３に複数個設けられてもよい。
【００４８】
以上のように、当業者は、本発明の範囲内で、実施される形態に合わせて様々な変更を行うことができる。
【符号の説明】
【００４９】
１    封印対象物
１０、１１、１２、１３    封印具
２０    開口部
３０、３１、３２、３３    変形部
４０、４１、４２、４３    隠れ部
５０    持ち手
５１    識別媒体
５２    復元手段
５３    切り込み
５４    小袋
【図１】
0006655956.tif 000002
【図２】
0006655956.tif 000003
【図３】
0006655956.tif 000004
【図４】
0006655956.tif 000005